Podtech/llm-jp-corpus-v4-ja_patent huggingface dataset:
(57)【要約】      （修正有）【課題】より効果的に斜め組み込みによる焼付きを防止できるガイド無しのボルトを提供する。【解決手段】ねじ山の始端部が、ねじ山頂点を境に屈曲した形状であるねじ山立ち上がり部１１と、ねじ山立ち上がり部１１を、おねじとめねじの干渉による破壊から保護するための保護部１２とを備える。【選択図】図１
2015169332.tif 000002
【特許請求の範囲】
【請求項１】
ねじ山の始端部が、ねじ山頂点を境に屈曲した形状であるねじ山立ち上がり部を備えたことを特徴とするボルト。
【請求項２】
前記ねじ山立ち上がり部を、おねじとめねじの干渉による破壊から保護するための保護部を備えたことを特徴とする請求項１に記載のボルト。
【請求項３】
前記ねじ山立ち上がり部における屈曲した形状は、ねじのリードに対して前記ボルトにおける頭部側の内側に５°〜３０°の角度と、ねじ先端部側の外側に１３５°〜１７０°の角度で形成されていることを特徴とする請求項１または２に記載のボルト。
【発明の詳細な説明】
【技術分野】
【０００１】  本発明は、自動車などの組み立てに用いられるボルトに関するものである。
【背景技術】
【０００２】  従来より、ボルトをナットやめねじに締付ける際に、斜めに組み込まれてしまうことによる焼付きが発生してしまっていた。【０００３】  この現象を防ぐため、図３に示すようなガイド付きのボルトが使用されてきた。このボルト３はガイド部３１によってボルトの傾きを制限することで、斜めに組み込まれることを抑制する。【０００４】  また、締結構造周辺のスペースの都合により、ガイド付きのボルトを採用できない場合に対応するため、例えば特許文献１に示すようなボルトが考案された。このボルトによれば斜めに挿入された状態で締付けられても、ねじ先端部がめねじを捉え、ボルトの姿勢を修正するため、ガイド無しでも斜め組み込みによる焼付きを防止できる。
【先行技術文献】
【特許文献】
【０００５】
【特許文献１】特開２００４−１１６７７１
【発明の概要】
【発明が解決しようとする課題】
【０００６】  しかしながら特許文献１のボルトにおいても、斜めに組み込まれた際にねじ山同士が干渉することによりボルトのねじ先端部が潰れてしまい、その結果、ボルトの姿勢が修正されず焼付いてしまう場合があった。【０００７】  本発明は、上述のような課題を解決するためになされたもので、より効果的に斜め組み込みによる焼付きを防止できるガイド無しのボルトを提供するものである。
【課題を解決するための手段】
【０００８】  本発明に係るボルトにおいては、ねじ山の始端部が、ねじ山頂点を境に屈曲した形状であるねじ山立ち上がり部と、前記ねじ山立ち上がり部を、おねじとめねじの干渉による破壊から保護するための保護部とを備えたものである。
【発明の効果】
【０００９】  本発明によれば、ボルトの姿勢を修正する機能を備えたねじ先端部が破壊されにくくなり、その結果、より効果的にボルトの姿勢を修正することが可能となる。
【図面の簡単な説明】
【００１０】
【図１】本実施例におけるボルト及びめねじの概観図である。
【図２】図１におけるＡ部の拡大図である。
【図３】従来のガイド付きボルトを示した図である。
【発明を実施するための形態】
【実施例】
【００１１】  本発明の実施例について図１、図２を用いて説明する。ボルト１は、ねじ山の始端部がねじ山頂点を境に角度θ１、θ２となるように屈曲した形状であるねじ山立ち上がり部１１を備えている。角度θ１は５°〜３０°、角度θ２は１３５°〜１７０°であることが望ましい。ボルト１の先端には保護部１２を備えている。保護部１２の径ｄ１はめねじ内径ｄ２より僅かに小さく、おねじ谷径ｄ３よりも大きくなるよう設定する。保護部１２によっておねじとめねじの干渉によるねじ山立ち上がり部１１の破壊を防止する。【００１２】  このような構成により、ボルト１がめねじに斜めに挿入された状態で締付が行なわれた場合でも、ねじ山立ち上がり部１１によってめねじを捉え、ボルト１の姿勢を修正し、正常に締結することが可能となる。【００１３】  本発明は図面に示した形態に限定されるものではなく、本発明の範囲を逸脱しない限り様々なボルトに適用可能である。例えば、ボルト頭部にフランジがあってもなくても良い。
【符号の説明】
【００１４】１    本実施例におけるボルト
１１  ねじ山立ち上がり部
１２  保護部
３    従来のボルト
３１  ガイド部
θ１  ねじ山立ち上がり部１１の角度（ボルト頭部側）
θ２  ねじ山立ち上がり部１１の角度（ボルト先端側）
ｄ１  保護部１２の径
ｄ２  めねじ内径
ｄ３  おねじ谷径
【図１】
2015169332.tif 000003
【図２】
2015169332.tif 000004
【図３】
2015169332.tif 000005
(57)【要約】【課題】打設コンクリート壁面に形成されたセパレータコーン除去後の孔に充填したモルタルの表面を迅速かつ平滑に仕上げることができるセパレータコーン除去孔の充填モルタル成形方法を提供することを課題としている。【解決手段】打設コンクリート壁面に形成されたセパレータコーン除去後の孔に充填されたモルタルの表面に該孔の外径以下に形成された略円形状のプレート部材の表面を押当てながら回転させることで該モルタルの表面を成形する方法であって、前記回転は前記プレート部材の背面の略中心に固定された取付治具が回転装置に内臓されたモーターの回転軸と連動する軸部に接続され、該モーターを起動することにより得られることを特徴とするものである。【選択図】図１
2015169058.tif 000002
【特許請求の範囲】
【請求項１】
打設コンクリート壁面に形成されたセパレータコーン除去後の孔に充填されたモルタルの表面に該孔の外径以下に形成された略円形状のプレート部材の表面を押当てながら回転させることで該モルタルの表面を成形する方法であって、
前記回転は前記プレート部材の背面の略中心に固定された取付治具が回転装置に内臓されたモーターの回転軸と連動する軸部に接続され、該モーターを起動することにより得られること、
を特徴とするセパレータコーン除去孔の充填モルタルの成形方法。
【発明の詳細な説明】
【技術分野】
【０００１】
本発明は、打設コンクリート壁面に形成されたセパレータコーン除去跡の孔に充填されたモルタルの表面を成形する方法に関するものである。
【背景技術】
【０００２】
従来、打設コンクリート壁面に形成されたセパレータコーン除去後の孔は、樹脂や高強度モルタルコンクリート製等の孔処理栓（例えば、ＮＥＴＩＳ登録番号：ＫＴ−０６０１４１−Ａ）を使用したり、現地で練り混ぜたモルタルを孔に充填してコテで仕上げるのが一般的である。
【０００３】
しかしながら、孔のサイズが大きい場合は、前記のような汎用品を使用できる場合が少なく、多くは現地で練り混ぜたモルタルを充填してコテ仕上げをしている実情がある。係る場合、孔のサイズが大きいと、コテ仕上げでは、仕上がり面に起伏が生じたり、孔によって仕上がりにばらつきが生じるなど、均質な仕上がりが得られず、打ち放しコンクリートの自然の美しさや重厚な趣等の構造物壁面の意匠性を低下させることになる。
【発明の概要】
【発明が解決しようとする課題】
【０００４】
本発明は上記する問題に鑑みてなされたものであり、打設コンクリート壁面に形成されたセパレータコーン除去後の孔に充填したモルタルの表面を迅速かつ平滑に仕上げることができるセパレータコーン除去孔の充填モルタル成形方法を提供することを目的とする。
【課題を解決するための手段】
【０００５】
前記課題を解決するために、本発明のセパレータコーン除去孔の充填モルタルの成形方法は、打設コンクリート壁面に形成されたセパレータコーン除去後の孔に充填されたモルタルの表面に該孔の外径以下に形成された略円形状のプレート部材の表面を押当てながら回転させることで該モルタルの表面を成形する方法であって、前記回転は前記プレート部材の背面の略中心に固定された取付治具が回転装置に内臓されたモーターの回転軸と連動する軸部に接続され、該モーターを起動することにより得られることを特徴としている。
【発明の効果】
【０００６】
本発明のセパレータコーン除去孔の充填モルタルの成形方法によれば、径の比較的大きな孔であっても、充填モルタルの表面を迅速かつ平滑に仕上げることが可能となる。
【図面の簡単な説明】
【０００７】
【図１】本発明に係るセパレータコーン除去孔の充填モルタルの成形方法に用いる成形装置全体の側面図。
【図２】本発明に係るセパレータコーン除去孔の充填モルタルの成形方法に用いるプレート部材の表面図及び背面図。
【図３】本発明に係るセパレータコーン除去孔の充填モルタルの成形方法に用いるプレート部材の側面図。
【発明を実施するための形態】
【０００８】
以下、本発明の実施形態を図面を参照して説明する。
【０００９】
図１は、打設コンクリート壁面に形成されたセパレータコーンを除去した後の孔に充填したモルタルの表面を成形するために用いられる成形装置１の側面図である。成形装置１は、電気や圧縮空気を動力源とする回転装置４に、充填したモルタルの表面を成形するためのプレート部材２およびプレート部材の背面に固定された回転装置４の軸部４ａと接続するための取付治具３とから構成されている。実施形態は、充電式電池又はコンセントから供給される電気を動力源とするインパクトドリルを用いている。供給された電力により内臓されたモーターが起動し、該モーターの回転軸から得られる回転力は該回転軸と連動する軸部４ａに伝達される。軸部４ａの回転力は、軸部４ａに接続される取付治具３を介してプレート部材２を回転させる。
【００１０】
図２（ａ）に、プレート部材２の背面図を示す。プレート部材は、セパレータコーン除去の孔の外径以下に形成された略円形状のプレート部材である。前述のとおり、プレート部材背面には、回転装置３の軸部４ａと取り外し可能に接続するための取付治具３が一体に固定されている。実施形態の軸部４ａと取付治具３との接続方法は螺着であるが、六角形状の棒部材の雄雌接合等、回転力が伝達可能であれば、接続方法は限定されない。
【００１１】
図２（ｂ）に、プレート部材２の表面図を示す。充填したモルタル表面にプレート部材２の表面を押当て、回転させることでモルタル表面を成形するため、かかるプレート部材２の表面の状態によって、成形後のモルタル表面の仕上がりが左右される。したがって、プレート部材２の表面は、可能な限り平滑な方が望ましい。実施形態では、金属製の材料を用いているが、衝撃や回転熱等に対して変形し難い素材であれば限定しない。
【００１２】
前記の成形装置を用いて、打設コンクリート壁面に形成されたセパレータコーン除去跡の孔に充填されたモルタルの表面にプレート部材２の表面を孔の断面に略平行に押し当てながら回転させることで該モルタルの表面を成形する。
【００１３】
本発明のセパレータコーン除去孔の充填モルタルの成形方法によれば、径の比較的大きな孔であっても、充填モルタルの表面を迅速かつ平滑に仕上げることが可能となる。
【符号の説明】
【００１４】
１   成形装置
２   プレート部材
３   取付治具
４   回転装置
４ａ 軸部
【図１】
2015169058.tif 000003
【図２】
2015169058.tif 000004
【図３】
2015169058.tif 000005
(57)【要約】      （修正有）【課題】溜った生ゴミの除去を簡単に行え、ゴミ溜カゴ（容器）の清掃を簡単に行える流し台排水溝のゴミ溜器具を提供する。【解決手段】紙、布、樹脂などで出来たメッシュ状の円錐形やおわん形のフィルター２を取り付けたリング１を排水溝へセットし、生ゴミはフィルター２・リング１を排水溝より取り外して、ゴミ袋へフィルター２を裏返すようにして除去し、フィルターは、何度か繰り返し使用した後に使い捨てる、または、永久に繰り返し使える材料でできたフィルター２を使用し、永久に使用する。【選択図】図１
2015169069.tif 000002
【特許請求の範囲】
【請求項１】
紙、布、樹脂などでできたフィルターを排水溝へのセットリングにて排水溝へセットして生ゴミを回収する何度か…くり返し使った後フィルターは廃棄する使いすてを基本とするゴミ回収容器
【請求項２】
フィルターは〔請求項１〕の紙、布、樹脂製を考えているがそれ以外で半永久的に使える材料であればうまく永久的に使う。
【発明の詳細な説明】
【技術分野】
【０００１】この発明は流し台排水溝に設けられた水分を分離し簡単に生ゴミ除去ができわずらわしい掃除をしなくてすむ便利な生ゴミ溜器に関するものである
【背景技術】
【０００２】従来流し台排水溝に設けられたステンレス製穴あきかごのような容器は溜った生ゴミの取り除きがしにくい又容器の汚れ掃除に手間がかかるステンレス製の穴あき容器であった
【先行技術文献】
【特許文献】
【特許文献】特許公開２００３−２６１９７３
【０００３】
【発明の概要】
【発明が解決しようとする課題】
【０００４】（イ）溜った生ゴミの除去を簡単に行えるようにする。
（ロ）ゴミ溜カゴ（容器）の清掃を簡単に行えるようにする。
本発明は以上の問題を解決するものである。
【課題を解決するための手段】
【０００５】従来のステンレス製穴あき容器（カゴ）をやめて紙、布、樹脂製のメッシュ状の円錐状又はおわん形にできたフィルターを金属やプラスチックのリング状のフィルターセット機具で排水溝へ設置して次のような使い方をする
１．円錐形及びおわん形のフィルターをリング状のとめ具で排水溝にセットする
２．フィルターに溜った生ゴミはセットリングと共にフィルターを排水溝より取り外して生ゴミをフィルターを裏返す要領で取り除く
３．フィルターは裏返したまま又排水溝へセット何度もくりかえし使用した後にフィルターをリングより取り外して廃棄する使いすての方法にすることを基本してめんどうな容器清掃をなくす
【発明の効果】
【０００６】（イ）溜った生ゴミの除去はフィルターを裏返すだけで一度に除去できる「いやな作業をやらないですむ」
（ロ）フィルターは使いすて方式なので従来のようなかごの掃除はしなくてすむ        …清潔感アップ
【図面の簡単な説明】
【０００７】
【図１】本発明のフィルター及びセットリングにて排水溝へセットする前の斜視図である
【図２】フィルターを排水溝へセットするリングの斜視図である
【図３】従来のステンレス製穴あきかごにかわる本発明の紙、布、樹脂なとでできたメッシュ状のフィルターの斜視図である
【発明を実施するための形態】
【０００８】以下本発明を実施するための形態について説明する。
円錐状又はおわん形の紙、布、樹脂でできたメッシュ状のフィルター図面符号２を金属やプラスチックでできたフィルターを排水溝へセットするリング〔図１〕にて排水溝への生ゴミを回収する
生ゴミがフィルターに多く溜ったら排水溝よりリングとフィルターをセットで取り外して生ゴミとゴミ袋にフィルターを裏返すように取り除きそのまま又排水溝へセットする何度かくり返し使用後フィルターを外し廃棄し新しいものと取りかえることを基本とする
【符号の説明】
【０００９】１．フィルターを排水溝へセットするためのリング
２．排水溝へ流れ込む生ゴミを回収するフィルター
３．フィルターずれ防止の突起
【図１】
2015169069.tif 000003
【図２】
2015169069.tif 000004
【図３】
2015169069.tif 000005
(57)【要約】【課題】便器の汚れは通常明白でなく、また清掃した後は、汚れの除去の判定が明確でない。便器の汚れを明白に示して、また清掃した後は、汚れの除去の判定が明確になる便器清浄診断剤を提供すること。【解決手段】便器の汚れを色素で着色する工程を行う。これにより、汚れが明白になり、それを清掃した後は、汚れの除去が明確に判定できる色素を選択し、便器に散布又は注ぐ便器清浄診断剤を調製する。【選択図】なし【特許請求の範囲】
【請求項１】
赤色３号、赤色１０４号、赤色１０６号、青色１号から選ばれる一又は二以上の色素を含むことを特徴とする便器清浄診断剤。
【請求項２】
請求項１に記載の便器清浄診断剤であって、
便器清浄診断剤を便器に散布、又は注ぐ工程、
便器を観察する工程
を含む便器染色方法に用いる便器清浄診断剤。
【請求項３】
便器清浄診断剤の形状は液状、又はタブレット状であることを特徴とする便器清浄診断剤。
【発明の詳細な説明】
【技術分野】
【０００１】本発明は、使用性が容易で、有色で、水溶性である便器清浄診断剤を提供する。
【背景技術】
【０００２】従来からは、便器の汚れそのものを目視し、汚れているとみられる部分又は全体を清掃している。【０００３】便器の汚れの主観的判断は通常明白ではなく、より明瞭にする必要性があった。【０００４】便器に適用し、汚れが明白になり、それを清掃した結果が明確になる技術は現在知られていない。【０００５】バイオフィルムを染色する技術としては、例えば特許文献１，２，３及び４などがあるが、これらは全て歯垢に関するものであり、便器に適用したものはない。
【先行技術文献】
【特許文献】
【０００６】
【特許文献１】特開２００５−１７９１８８号公報
【特許文献２】特開２００６−０２８１５２号公報
【特許文献３】特開２００８−１８９５７５号公報
【特許文献４】特開２０１０−２０２５８３号公報
【発明の概要】
【発明が解決しようとする課題】
【０００７】便器の汚れを明白にする必要がある。【０００８】清掃の後、便器の汚れの除去を明確にする必要がある。【０００９】そこで、便器の汚れを明白に示し、また清掃の後、便器の汚れの除去を明確にする便器清浄診断剤が望まれた。
【課題を解決するための手段】
【０００１０】かかる実情において本発明者らは、上記課題を解決すべく鋭意研究を重ねた結果、便器の汚れ（主に微生物によるバイオフィルム）に着色し、清掃後は水で容易に除去できる色素を選定し、それらを用いて便器清浄診断剤を開発し、上記課題を解決することを見出し、本発明を完成するに至った。
【発明の効果】
【０００１１】本発明により、使用性が容易で、便器の汚れが明白になり、また清掃の効果が明確になる便器清浄診断剤が提供できる。
【発明を実施するための形態】
【０００１２】以下本発明を詳細に説明する。
本発明に用いられる液状のものの基材は水である。
【００１３】本発明に用いられるタブレット状のものの基材はポリエチレングリコールである。
【００１４】本発明に用いられる色素は赤色３号、赤色１０４号、赤色１０６号、青色１号である。
【００１５】液状便器清浄診断剤に含まれる色素の濃度は、０．０１％〜０．１％である。
【００１６】タブレット状便器清浄診断剤に含まれる色素の濃度は、０．１％〜１％である。
【実施例】
【００１７】以下に本発明の実施例を示し、本発明を詳細に説明するが、本発明はこれらの実施例によって限定されるものではない。なお、配合量などは特に指定がない限り重量％で示す。【００１８】実施例１
赤色１０４号を水に０．０６％溶解した液状便器清浄診断剤を便器（内側）に散布した。便器下部の着色が明白に検出された。その部分を洗剤とブラシで清掃し、水で流した後は、便器の汚れのが無いことが明確になった。【００１９】実施例２
赤色３号と赤色１０６号をそれぞれ水に０．０１％溶解した液状便器清浄診断剤を便器（内側）に散布した。便器下部の着色が明白に検出された。その部分を洗剤とブラシで清掃し、水で流した後は、便器の汚れのが無いことが明確になった。【００２０】実施例３
赤色１０４号をポリエチレングリコールに１％配合し、プレス成型したタブレット１ｇを便器洗浄用水に溶解し、この液を便器（内側）に注いだ。便器上部周辺部の着色が明白に検出された。その部分を洗剤とブラシで清掃し、水で流した後は、便器の汚れのが無いことが明確になった。【００２１】実施例４
青色１号をポリエチレングリコールに０．１％配合し、プレス成型したタブレット１０ｇを便器洗浄用水に溶解し、この液を便器（内側）に注いだ。便器上部周辺部の着色が明白に検出された。その部分を洗剤とブラシで清掃し、水で流した後は、便器の汚れのが無いことが明確になった。
(57)【要約】【課題】  シートリール等の帯体巻取装置において、帯体（シート）の視認性を向上させる。【解決手段】  帯体３に発光部３Ａを設ける。これにより、発光部３Ａを発光させることにより帯体３の視認性を向上させることができる。【選択図】図１
2015169763.tif 000002
【特許請求の範囲】
【請求項１】
可撓性を有する帯状の帯体であって、少なくとも１箇所の発光部を有する帯体と、
前記帯体を巻き取る巻取ドラムと
を備えることを特徴とする帯体巻取装置。
【請求項２】
前記発光部に電力を供給する電源部が前記巻取ドラム内に設けられていることを特徴とする請求項１に記載の帯体巻取装置。
【請求項３】
前記帯体の長手方向一端側に設けられ、利用者が把持可能な把持部と、
前記把持部に設けられ、前記発光部の発光又は停止させるスイッチ部と
を備えることを特徴とする請求項１又は２に記載の帯体巻取装置。
【発明の詳細な説明】
【技術分野】
【０００１】
本発明は、シートやベルト等の帯体を巻き取る帯体巻取装置に関する。
【背景技術】
【０００２】
帯体巻取装置とは、例えば、特許文献１に記載されているように、シート、ベルト又はリボン等の帯体、及びこの帯体を巻き取る巻取ドラム等からなるものである。
【先行技術文献】
【特許文献】
【０００３】
【特許文献１】特開２０００−３１０９６２号公報号公報
【発明の概要】
【発明が解決しようとする課題】
【０００４】
本発明は、帯体の視認性を向上させることを目的とする。
【課題を解決するための手段】
【０００５】
本発明は、上記目的を達成するために、可撓性を有する帯状の帯体であって、少なくとも１箇所の発光部（３Ａ）を有する帯体（３）と、帯体（３）を巻き取る巻取ドラム（５）とを備えることを特徴とする。
【０００６】
これにより、本発明では、発光部（３Ａ）を発光させることにより帯体（３）の視認性を向上させることができる。
因みに、上記各手段等の括弧内の符号は、後述する実施形態に記載の具体的手段等との対応関係を示す一例であり、本発明は上記各手段等の括弧内の符号に示された具体的手段段等に限定されるものではない。
【図面の簡単な説明】
【０００７】
【図１】本発明の実施形態に係る帯体巻取装置を示す図である。
【発明を実施するための形態】
【０００８】
以下に説明する「発明の実施形態」は実施形態の一例を示すものである。つまり、特許請求の範囲に記載された発明特定事項等は、下記の実施形態に示された具体的手段や構造等に限定されるものではない。
【０００９】
本実施形態は、本発明に係る帯体巻取装置を「立ち入り禁止区域」や「整列領域の区画」等を縄張りすべく、当該区域を仕切る際に用いられるシートリールに適用したものである。
【００１０】
少なくとも符号を付して説明した部材又は部位は、「複数」や「２つ以上」等の断りをした場合を除き、少なくとも１つ設けられている。以下、本発明の実施形態を図１に基づいて説明する。
【００１１】
（第１実施形態）
１．帯体巻取装置の構成
帯体巻取装置１は、帯状の帯体３を収納するとともに、収納された帯体３を自在に引出可能な巻取装置である。そして、帯体巻取装置１は、可撓性を有する帯体３、及び当該帯体３を巻き取る巻取ドラム５等を有する。
【００１２】
帯体３は、帯状の面に少なくとも１箇所（本実施形態では、多数箇所）の発光部３Ａを有する。当該帯体３は、有機ＥＬ（有機エレクトロルミネッセンス）や無機ＥＬ（ポリマー分散型無機エレクトロルミネッセンス）等の発光シートにより構成されたシートである。
【００１３】
帯体３の長手方向一端には、利用者が把持可能な把持部７が設けられている。把持部７にはハンガーピン７Ａが設けられている。ハンガーピン７Ａは、帯体３の先端側を壁や柱等に取り付けるためフックを構成する。なお、帯体３の長手方向他端側は、巻取ドラム５に着脱自在に組み付けられている。
【００１４】
巻取ドラム５はフレーム９に回転可能に支持されている。フレーム９は、第１支持部９Ａ、第２支持部９Ｂ、及び連結部（図示せず。）を有する。第１支持部９Ａは、巻取ドラム５の軸線方向一端側（図１では上端側）で巻取ドラム５を支持する。第２支持部９Ｂは、当該軸線方向他端側（図１では下端側）で巻取ドラム５を支持する。連結部は、第１支持部９Ａと第２支持部９Ｂとを連結する。
【００１５】
巻取ドラム５のうち円筒状の巻取部５Ａ内には、発光部３Ａに電力を供給する電源部１１が設けられている。なお、本実施形態に係る電源部１１は、一次電池又は二次電池等を有して構成されている。そして、把持部７には、発光部３Ａの発光又は停止させるためのスイッチ部１１Ａが設けられている。
【００１６】
２．本実施形態に係る帯体巻取装置の特徴
本実施形態では、帯体３に発光部３Ａが設けられているので、発光部３Ａを発光させることにより帯体３の視認性を向上させることができる。
【００１７】
ところで、仮に、フレーム９に電源部１１を設けると、スリップリング等の摺動接点を介して発光部３Ａに電力を供給する構成となる。これに対して、本実施形態では、巻取ドラム５内に電源部１１が設けられているので、摺動接点等を介すことなく発光部３Ａに電力を供給できる。
【００１８】
さらに、スイッチ部１１Ａが把持部７に設けられているので、スイッチ部１１Ａと電源部１１及び発光部３Ａとを繋ぐ電気回路の途中に摺動接点等を設ける必要ない。つまり、仮に、スイッチ部１１Ａがフレーム９に設けられていると、電源部１１の場合と同様に、電気回路の途中に摺動接点等を設ける必要がある。
【００１９】
（その他の実施形態）
上述の実施形態では、発光部３Ａを含めて帯体３を有機ＥＬ又は無機ＥＬで構成したが、本発明はこれに限定されるものではなく、例えば帯体３に光ファイバーを折り込んでもよい。
【００２０】
上述の実施形態では、巻取ドラム５内に電源部１１を配設したが、本発明はこれに限定されるものではなく、例えば、フレーム９に電源部１１を設けてもよい。
上述の実施形態では、一次電池等により電源部１１を構成したが、本発明はこれに限定されるものではなく、例えば、商用電源から供給された電力を電源部１１にて発光部３Ａに供給可能な電力に変換してもよい。
【００２１】
上述の実施形態では、把持部７にスイッチ部１１Ａが設けられていたが、本発明はこれに限定されるものではなく、例えば、フレーム９にスイッチ部１１Ａを設けてもよい。
また、本発明は、特許請求の範囲に記載された発明の趣旨に合致するものであればよく、上述の実施形態に限定されるものではない。
【符号の説明】
【００２２】
１… 帯体巻取装置
３… 帯体
３Ａ… 発光部
５… 巻取ドラム
７… 把持部
７Ａ… ハンガーピン
９… フレーム
９Ａ… 第１支持部
９Ｂ… 第２支持部
１１… 電源部
１１Ａ… スイッチ部
【図１】
2015169763.tif 000003
(57)【要約】【課題】  夏の対策には、涼しさ、消費電力、コストなど課題を抱えている。【解決手段】  これはマイクロフアイバー（ＭＦ）で、この材料は合成繊維の線径を８マイクロメーター以下としたもので、その破断は鋭角的や多角的の形状をなしているので、単位面積当りの表面積は極めて大きいので、合成繊維のもともの速乾性をさらに大きくしたもので、本発明はこのＭＦを編んだ編物の大、小片をタンク内に入れ、タンクに接続した送風機Ｗで送風すると、タンク内のＭＦに囲まれた隙間は、速乾状態／は相当高くなり、直に気化が行われて温度を急降下させて、送風機Ｗにより外部へ放出される。【選択図】図２
2015169429.tif 000002
【特許請求の範囲】
【請求項１】
左の一辺を送風機Ｗと接続口２１と接続し、相対の右辺をを大気にさらす開放面２２としたタンク２０内へ、ＭＦで編んだ多数の不規則な固まり１０を、大、小混合し、空間を残して充填した冷風器
【請求項２】
左の一辺を送風機Ｗと接続口４１と接続し、相対の右辺を大気にてらす開放面４２とし、平行な側面４４、４５間に渡し棒４６、４７を設けた角型タンク４０内に、凹凸帯３０を平行な渡し棒４６４７から渡して吊り下げ、同形の凹凸帯３０′、３０″、−−を順次多数同様に左から右へ間隔をあけて、渡し棒４６、４７から吊り下げた冷風器
【発明の詳細な説明】
【技術分野】
【０００１】  本発明は、夏の暑さ対策の冷風器に関する。
【背景技術】
【０００２】  夏の暑さ対策の扇風機は涼しさ、同じくエヤコンは消費電力、コストに問題がある。
【発明の開示】
【発明が解決しようとする課題】
【０００３】  涼しさ、消費電力やコストの低減。
【課題を解決するための手段】
【０００４】  この手段は、温度降下のための水分気化に、マイクロファイバー（ＭＦ）を、以下のように使用する。
まず左の一辺を送風機と接続口で接続し、相対の右辺を大気にさらす開放面としたタンク内へ、ＭＦで編んだ多数の不規則な固まりを、大、小混合し、空間を残して充填する。【０００５】  そしてこれらの固まりは、空間を残して充填されているので、外気と送風機とは十分通じあう隙間が多数形成される。【０００６】  また、左の一辺を送風機と接続口で接続し、相対の右辺を大気にさらす開放面とし、平行な側面間の上方に平行な２本の渡し棒を設けた角型タンク内に、ＭＦで編んだ凹凸板の一端に固定棒を取付けた凹凸帯を、上記渡し棒から吊り下げ、同形の凹凸帯を多数、同様に左から右へ間隔をあけて渡し棒から吊り下げる。【０００７】  そして多数の凹凸帯はある間隔をあけられているので、これらの間には多数の隙間が発生する。【０００８】  ここでマイクロファイバーについて説明すると、ポリエステルなどの合成繊維を８アマイクロメートル以下の極微にしたもので、合成繊維はもともと速乾性をもっているが、これを線径が細くなっている上に、断面が多角的で鋭角であることから、／単位面積当りの表面積は極めて高いと考えられる。【０００９】  次にこのような高速乾性材料に囲まれいる上記の二つの隙間は、直に乾燥するという速乾状態になっているので、いまタンク内に注水すれば忽ちに気化し、送風機を回せば外気から隙間を通って涼風が外方に放出される。
【発明の効果】
【００１０】  簡単な構造、安価な材料で十分目的を達成されていると考えられる。
【発明を実施するための最良の形態】
【００１１】  本発明を、図面で説明する。【００１２】  図１は、ＭＦで編んだかたまり１０の外観図で、大あり小ありで、不規則な形状で、図２は、左の一辺を送風機Ｗと接接続口２１と接続し、相対の右辺を大気にさらす開放面２２としたタンク２０で、タンク内に固まり１０を大、小合せて混合し、空間を残して充填した状況を示すもので、固まり間に隙間Ｓが多数成形される。【００１３】  図３は、ＭＦで編んだ凹凸板３１の一端に固定棒３２を取付けた凹凸帯３０を示す。【００１４】  図４は、左の一辺を送風機Ｗと接続口４１で接続し、相対の右辺を大気にさらす開放面
2015169429.tif 000003
平行な２本の渡し棒４６、４７を設／けた角型タンク４０内に、凹凸帯３０を平行な渡し棒４６、４７から渡して吊り下げ、同形の凹凸帯３０′、３０″、−−を多数／同様に左から右へ間隔をあけて、渡し棒４６、４７から吊り下げた状況を示す。【０１５】  またそして上の例のように、多数の凹凸板は間隔をあけてかれられいるので、これらの間には多数の隙間Ｔが発生する。【０１６】  以上が本構成でこれに対して、いまタンク２０、／角型タンク４０のそれぞの吸水口２３、４３からタンク２０、角型タンク４０内部を給入し、送風機Ｗを稼動させると隙間Ｓ、Ｔが速乾状態だから一気に気化が行われ、送風機Ｗにより隙間Ｓ、Ｔを出入りさせて外部に冷風を吹出す。
【図面の簡単な説明】
【０１７】
【図１】  ＭＦのかたまり１０
【図２】  タンク２０の運転状況
【図３】  凹凸帯３０
【図４】  角型タンク４０の運転状況
【符号の説明】
【００１８】  １０  ＭＦのかたまり
２０  タンク２０
３０  凹凸帯
４０  角型タンク
Ｗ    送風機
Ｓ    隙間
Ｔ    隙間
【図１】
2015169429.tif 000004
【図２】
2015169429.tif 000005
【図３】
2015169429.tif 000006
【図４】
2015169429.tif 000007